(57)【要約】【課題】液体用容器に取り付けるキャップ本体の屈曲部を、弱い力で確実に押して、内容液を、簡単に一定量を取り出すことができ、使い易いスクイズキャップを提供する。【解決手段】液体用容器１２の口部１４を閉鎖する天面部１８と、天面部１８に連続し口部１４の側面を覆う筒状の側面部２０を有する。天面部１８には、力を加えると液体用容器１２の内側に向かってくぼむ屈曲部２６と、液体用容器１２に入れられた内容液を取り出す注出口３６を、互いに離間して備える。屈曲部２６の上面の一部はプッシュレバー２８となり、プッシュレバー２８の一方の端部は屈曲部２６の注出口３６に近い周縁部に屈曲可能に連続して設けられ、他方の端部は端部に近づくにつれて天面部１８から離れる方向に傾斜して突出している。側面部２０には、ヒンジ４０を介して蓋部４２が連続し、ヒンジ４０は、プッシュレバー２８と注出口３６を結んだ線上から平行に離れている。【選択図】図１
2015151186.tif 000002
【特許請求の範囲】
【請求項１】
液体用容器の口部を閉鎖する天面部と、前記天面部に連続し前記口部の側面を覆う筒状の側面部が設けられ、前記天面部には、上方に突出し外側から力を加えると前記液体用容器の内側に向かってくぼむ屈曲部と、前記液体用容器に入れられた内容液を取り出す注出口が互いに離間して設けられ、前記屈曲部の上面の一部は、一方向に長いプッシュレバーとなり、前記プッシュレバーの一方の端部は前記屈曲部の前記注出口に近い周縁部に屈曲可能に連続して設けられ、前記プッシュレバーの他方の端部は端部に近づくにつれて前記天面部から離れる方向に傾斜して突出して設けられ、前記側面部には、ヒンジを介して蓋部が連続して設けられ、前記ヒンジは、前記プッシュレバーと前記注出口を結んだ線上から平行に離れて位置し、前記内容液を取り出すとき、前記液体用容器を倒立させて前記内容液を前記注出口の内側に満たし、前記プッシュレバーを指で押すと、前記プッシュレバーは前記天面部と平行になるように倒れ、前記プッシュレバーに一体に設けられている前記屈曲部が前記立上部に押されて弾性変形して前記液体用容器の内側にくぼみ、これにより前記液体用容器内の圧力が高くなり前記注出口から内容液が注出されることを特徴とするスクイズキャップ。
【請求項２】
前記プッシュレバーの前記天面部側の面には前記天面部に当接可能な当接部が設けられ、前記内容液を取り出すとき、前記プッシュレバーを指で押すと、前記当接部が前記天面部の被当接部に当接し、それ以上押し込むことが規制され、一回押すごとに注出される前記内容液の体積はほぼ一定となる請求項１記載のスクイズキャップ。
【請求項３】
前記屈曲部には、前記屈曲部の上面の周縁部に連続し前記天面部から立ち上がる第１側面が設けられ、前記プッシュレバーの端部と端部の間の下面には、前記屈曲部の上面に連続する壁状の立上部が設けられ、前記プッシュレバーの前記立上部より前記注出口に近い端部側の周縁部は、前記屈曲部の上面に連続する第２側面が設けられ、前記立上部と前記第２側面は互いに連続して、前記プッシュレバーと前記屈曲部上面の間が密閉され、前記屈曲部は、前記天面部のその他の部分よりも厚みが薄く形成されて、外側から力を加えると容易に内側へ変形するように設けられている請求項１記載のスクイズキャップ。
【請求項４】
前記蓋部は、前記ヒンジにより、前記キャップ本体からの開き角度が９０°以上の所定の角度で係止され、前記ヒンジは、前記プッシュレバーと前記注出口を結んだ線上から離れて位置し、前記蓋部には、前記スクイズキャップに閉じた時に前記注出口に水密に嵌合されるシール部が設けられている請求項１記載のスクイズキャップ。
【発明の詳細な説明】
【技術分野】
【０００１】
この発明は、内容液を収容した液体用容器の口部に取り付けられ内容液を注出可能なスクイズキャップに関する。
【背景技術】
【０００２】
従来、ラー油等の内容液を収容した液体用容器の口部に取り付けられるスクイズキャップは、液体用容器の口部の外周面を覆う筒状の側面部と、口部を閉鎖する天面部が一体に設けられている。天面部には弾性変形可能な屈曲部が設けられ、屈曲部は外側から力を加えると液体用容器の内側に向かってくぼみ、力を抜くと元の形状に復元するものであり、屈曲部の上にはプッシュボタンが設けられている。天面部には、内容液を注出する注出口が設けられている。このようなスクイズキャップは、内容液を取り出すとき、液体用容器を倒立させ、内容液がスクイズキャップの注出口の内側に満たされた状態でプッシュボタンを押して屈曲部を液体用容器の内側にくぼむように押し込む。すると、液体用容器の気圧が高まり内容液が注出口から注出されるものである。しかし、このようなスクイズキャップは、屈曲部の上にプッシュボタンがあるため、押すときにかなりの押力が必要である。
【０００３】
そこで、屈曲部を押し易くするために、押圧部材を取り付けたものが考えられている。特許文献１に開示されている注出キャップは、天面部に外側に突出する注出筒が一体に設けられ、注出筒の先端には径が小さい注出パイプが外側に突出して設けられている。注出パイプの横には弾性圧潰部が設けられ、弾性圧潰部は、注出筒の先端の約半分とそれに連続する側周面の一部を斜めに切り欠いて形成した傾斜面の途中に段部が形成されたものである。注出筒の先端には、圧潰部を押し下げるための押圧片が設けられ、押圧片は一端部が注出パイプに隣接して弾性圧潰部の上端部付近に回転可能に取り付けられ、他端部は注出パイプから離れて外側に延出し指で押す押圧部分となる。押圧片の下面にはリブが突出して設けられている。内容液を注出するときは、押圧片の押圧部分を押すことにより、押圧片が回転してリブが弾性圧潰部を押し下げ、液体用容器の気圧が高まり内容液が注出口から注出されるものである。押圧部が梃子となり、梃子の原理で弱い力で弾性圧潰部を押し下げ、内容液を簡単に注出することができる。
【０００４】
また、内容液の取り出し口部分に押圧片を設けた構造は、いろいろな容器に適用されている。特許文献２に開示されているカバーボタンは、エアゾール容器に取り付けるものであり、カバーボタンの天面部には、ステムに連通する筒状の噴射ボタンと、噴射ボタンの基部に連続する可撓性連結部と、噴射ボタンの側面に一体に形成される側方に突出する指掛部が設けられている。指掛部の長手方向の途中の一部分が、下方に延出して可撓性連結部に連続している。内容液を注出するときは、指掛け部を押すと可撓性連結部が弾性変形して噴射ボタンが下降し、ステムを押し込み、容器内の内容液をステムから吐出して噴射ボタンの吐出口から噴出するものである。
【０００５】
また、特許文献３に開示されている反練り物注出容器は、加圧ポンプを押して容器内部に圧力をかけると内容液を注出するような弁機構が内装された容器であり、天面部には、注出口と、ドーム状の薄肉部の加圧ポンプ部が設けられている。注出口と加圧ポンプ部の間には揺動板が設けられ、揺動板の一方の端部には注出口を閉鎖する蓋板が設けられ、他方の端部には押圧部が設けられている。押圧部の下方には、スペーサが離間されて設けられている。内容液を注出するときは、押圧部を押して揺動板を加圧ポンプ側に傾け、蓋板は注出口から離れて注出口が開き、押圧部に押されてスペーサが下降して加圧ポンプ部を押し下げ、容器内の気圧が高まり、内容液が注出口から注出されるものである。
【先行技術文献】
【特許文献】
【０００６】
【特許文献１】特開２０００−１０９１０９号公報
【特許文献２】特開２００２−６８３４０号公報
【特許文献３】実開平１−１１６１６０公報
【発明の概要】
【発明が解決しようとする課題】
【０００７】
上記背景技術の場合、それぞれに以下のような課題がある。特許文献１に開示された注出キャップは、操作領域が大きく、押圧片を大きく動かすと内容液がたくさん出て、小さく動かすと内容液が少ししか出ないものであり、一定の量を出すことが難しいものである。さらに、押圧片の端部が注出パイプに隣接して設けられているため、押圧片の動きに伴って注出パイプが移動し、注出パイプから内容液を目的の位置に注出させることが難しいものである。さらに、注出パイプと押圧片が近い位置に設けられているため、注出時に内容液が指先に付着することがあり操作性を阻害するものである。また、押圧操作ではリブが直立壁に当接して潰される位置まで押し下げられることから、押圧片は、押し下げた時にかなりの角度で傾斜することになり、押し下げるにつれて力を入れにくくなるものである。
【０００８】
特許文献２に開示されたカバーボタンは、噴射ボタンと指掛部が近い位置に設けられているため、特許文献１と同様に、指掛部の動きに伴って移動して、噴射ボタンから出る内容液を目的の位置に噴射することが難しいものである。さらに、噴射ボタンと指掛部が近い位置に設けられているため、特許文献１と同様に操作性を阻害するものである。また、押圧部は、押し下げた時に、容器本体の上下方向の略直角よりも容器本体の底部に近づくように傾斜するため、押し下げるにつれて力を入れにくくなるものである。その他、特許文献１の押圧片は梃子となり、梃子の原理で弱い力で弾性圧潰部を押し下げることができるが、特許文献２の構造では、指掛部を押し下げた距離だけ可撓性連結部が押されるものであり、弱い力で変形させる効果は少ないものである。
【０００９】
特許文献３に開示された注出容器は、押圧部を大きく動かすと内容液がたくさん出て、小さく動かすと内容液が少ししか出ないものであり、特許文献１と同様に一定の量を出すことが難しいものである。押圧部は、押し下げた時に、容器本体の上下方向の略直角よりも容器本体の底部に近づくように傾斜するため、押し下げるにつれて力を入れにくくなるものである。特許文献１の押圧片は、梃子となり、梃子の原理で弱い力で弾性圧潰部を押し下げることができるが、特許文献３は、押し下げた距離だけ加圧ポンプ部が押されるものであり、特許文献２と同様に、弱い力で変形させる効果は少ないものである。
【００１０】
この発明は、上記背景技術の問題点に鑑みてなされたものであり、液体用容器に取り付けるキャップ本体の屈曲部を簡単な操作で弱い力で確実に押して、内容液を、簡単に一定量を取り出すことができ、使い易いスクイズキャップを提供することを目的とする。
【課題を解決するための手段】
【００１１】
本発明は液体用容器の口部を閉鎖する天面部と、前記天面部に連続し前記口部の側面を覆う筒状の側面部が設けられ、前記天面部には、上方に突出し外側から力を加えると前記液体用容器の内側に向かってくぼむ屈曲部と、前記液体用容器に入れられた内容液を取り出す注出口が互いに離間して設けられ、前記屈曲部の上面の一部は、一方向に長いプッシュレバーとなり、前記プッシュレバーの一方の端部は前記屈曲部の前記注出口に近い周縁部に屈曲可能に連続して設けられ、前記プッシュレバーの他方の端部は端部に近づくにつれて前記天面部から離れる方向に傾斜して突出して設けられ、前記側面部には、ヒンジを介して蓋部が連続して設けられ、前記ヒンジは、前記プッシュレバーと前記注出口を結んだ線上から平行に離れて位置しているスクイズキャップである。前記内容液を取り出すとき、前記液体用容器を倒立させて前記内容液を前記注出口の内側に満たし、前記プッシュレバーを指で押すと、前記プッシュレバーは前記天面部と平行になるように倒れ、前記プッシュレバーに一体に設けられている前記屈曲部が前記立上部に押されて弾性変形して前記液体用容器の内側にくぼみ、これにより前記液体用容器内の圧力が高くなり前記注出口から内容液が注出されるものである。
【００１２】
前記プッシュレバーの前記天面部側の面には前記天面部に当接可能な当接部が設けられ、前記内容液を取り出すとき、前記プッシュレバーを指で押すと、前記当接部が前記天面部の被当接部に当接し、それ以上押し込むことが規制され、一回押すごとに注出される前記内容液の体積はほぼ一定となる。
【００１３】
前記屈曲部には、前記屈曲部の上面の周縁部に連続し前記天面部から立ち上がる第１側面が設けられ、前記プッシュレバーの端部と端部の間の下面には、前記屈曲部の上面に連続する壁状の立上部が設けられ、前記プッシュレバーの前記立上部より前記注出口に近い端部側の周縁部は、前記屈曲部の上面に連続する第２側面が設けられ、前記立上部と前記第２側面は互いに連続して、前記プッシュレバーと前記屈曲部上面の間が密閉されている。前記屈曲部は、前記天面部のその他の部分よりも厚みが薄く形成されて、外側から力を加えると容易に内側へ変形するように設けられている。
【００１４】
前記蓋部は、前記ヒンジにより、前記キャップ本体からの開き角度が９０°以上の所定の角度で係止され、前記ヒンジは、前記プッシュレバーと前記注出口を結んだ線上から離れて位置し、前記プッシュレバーを指で押して前記内容液を注出する時に支障とならないものである。前記蓋部には、前記スクイズキャップに閉じた時に前記注出口に水密に嵌合されるシール部が設けられている。
【発明の効果】
【００１５】
本発明のスクイズキャップは、液体用容器に取り付けるキャップ本体の屈曲部を簡単な操作で弱い力で確実に押して、内容液を、正確に一定量を取り出すことができる。しかも、ポリプロピレン等の適度な硬さを有する合成樹脂で作られていても、屈曲部を押すときにプッシュレバーを梃子として押し下げて屈曲部を液体用容器の内側に押し込むことができ、梃子の原理で簡単に内容液を注出することができる。プッシュレバーが注出口から離れて設けられているため、操作性が良く、また指に内容液が付くことを防ぐことができるものである。
【図面の簡単な説明】
【００１６】
【図１】この発明の一実施形態のスクイズキャップの蓋部を開いた状態を示す斜視図である。
【図２】この実施形態のスクイズキャップの蓋部を閉めた状態を示す斜視図である。
【図３】この実施形態のスクイズキャップの上面図である。
【図４】この実施形態のスクイズキャップの部分拡大縦断面図である。
【図５】この実施形態のスクイズキャップの使用状態を示す斜視図である。
【発明を実施するための形態】
【００１７】
以下、この発明の実施形態について図面に基づいて説明する。図１〜図５はこの発明の一実施形態を示すもので、この実施形態のスクイズキャップ１０は、適度な硬さを有するポリプロピレン等の合成樹脂で一体に設けられ、液体用容器１２の筒状の口部１４に取り付けられるキャップ本体１６が設けられている。液体用容器１２は、内容液５４を入れる小形で硬質の合成樹脂製ボトル等である。内容液５４は、調味料や医薬品等何でも良い。キャップ本体１６は、口部１４を閉鎖する天面部１８と、天面部１８に連続し口部１４の側面を覆う筒状の側面部２０が設けられている。液体用容器１２の口部１４の外周面には雄ねじ２２が設けられ、側面部２０の内周面には、口部１４の雄ねじ２２に螺合する雌ネジ２４が設けられている。天面部１８の周縁部には、側面部２０との角部をＬ字形に切欠く段部２１が一周して設けられている。段部２１の、天面部１８側の面には、後述する蓋部４２の係止突部４８が係止される係止突部２３が側方に突出して設けられている。
【００１８】
天面部１８の中心には、外側から力を加えると液体用容器１２の内側に向かってくぼみ、力を抜くと元の形状に復元する屈曲部２６が設けられている。屈曲部２６は、天面部１８の上面１８ａから上方に突出して形成され、天面部１８の上面１８ａに平行な上面２６ａと、上面２６ａの周縁部に連続し上面１８ａから立ち上がる第１側面２６ｂが設けられている。屈曲部２６は、上面２６ａの周縁部の一部が直線で、その他の部分が円弧となる略半円形に形成されている。
【００１９】
屈曲部２６の上面２６ａの中心部分は、プッシュレバー２８となっている。プッシュレバー２８は、一方向に長い矩形の板状に形成され、各角部が面取りされている。プッシュレバー２８は、長手方向の一方の端部２８ａが屈曲部２６の周縁部の直線部分の中心に、屈曲可能に連続して設けられ、他方の端部２８ｂは屈曲部２６の直線部分に対して略直角の方向に向って延出し、端部２８ｂに近づくにつれて天面部１８から離れる方向に傾斜して突出し、端部２８ｂは天面部１８の周縁部付近の上方に達している。プッシュレバー２８の上面２８ｃには、端部２８ｂに近い３分の２程度の長さにわたって、指で押し易いように凹部３０が形成されている。プッシュレバー２８の下面２８ｄには、端部２８ｂの中心付近に、当接部として下方に突出する突起３２が設けられている。
【００２０】
屈曲部２６の上面２６ａの、プッシュレバー２８以外の部分は天面部１８の上面１８ａに対して平行な面であり、プッシュレバー２８の長手方向のほぼ半分の位置の下面２８ｄには、屈曲部２６上面２６ａに連続する立上部３４が設けられ、立上部３４は、上面２６ａに対して略直角で、そしてプッシュレバー２８の長手方向に対して略直角な壁状に設けられている。プッシュレバー２８の立上部３４より端部２８ａ側の周縁部には、屈曲部２６の上面２６ａに連続する第２側面２６ｃが設けられ、立上部３４と第２側面２６ｃは互いに連続して、プッシュレバー２８と屈曲部２６上面２６ａの間が密閉されている。なお、プッシュレバー２８の立上部３４より端部２８ｂ側の下面２８ｄは、キャップ本体１６の外側に露出している。図４に示すように、屈曲部２６全体は、天面部１８のその他の部分よりも厚みが薄く形成されて、外側から力を加えると容易に内側へ変形するように設けられている。
【００２１】
なお、プッシュレバー２８は梃子となるもので、端部２８ａと屈曲部２６が連結されている部分が支点となり、端部２８ｂは力点、立上部３４が作用点となり、端部２８ｂを押し下げることにより立上部３４が下降して容易に屈曲部２６を弾性変形させて液体用容器１２内へ押し込むものである。
【００２２】
天面部１８の、屈曲部２６の直線部分、つまりプッシュレバー２８の端部２８ａが連続する部分から、天面部１８の周縁部に近づいた位置には、屈曲部２６から離間して円筒状の注出口３６が設けられ、注出口３６は、プッシュレバー２８の長手方向の延長線上に位置している。注出口３６は、液体用容器１２に収容された内容液５４を取り出すものであり、天面部１８の内外を連通して設けられている。注出口３６の先端は、プッシュレバー２８と反対側が高くなるように斜めに切り欠かれて設けられ、注出口３６の先端縁には、注出口３６の側周面に広がるフランジ部３８が一周して設けられ、フランジ部３８のプッシュレバー２８と反対側部分が特に長く突出して設けられている。
【００２３】
天面部１８の、下面１８ｂには、側面部２０と同心で小さい直径を有する内筒部３９が設けられている。内筒部３９は、液体用容器１２の口部１４の内周面に嵌合されるものである。
【００２４】
キャップ本体１６の、側面部２０と天面部１８の境界部分の一部には、ヒンジ４０を介して蓋部４２が連続して一体に設けられている。ヒンジ４０は、図３において注出口３６を上に、プッシュレバー２８の端部２８ｂを下に見た時、紙面右側に設けられ、プッシュレバー２８と注出口３６を結んだ線上から平行に離れて位置している。また、紙面左側には、キャップ本体１６の側面部２０に、後述する蓋部４２の押上突部５０を押し易いように、わずかにくぼむ凹部４１が形成されている。
【００２５】
ヒンジ４０は、キャップ本体１６の側面部２０からわずかに外側に突出した形状に形成され、中央部４０ａとその両方の脇部４０ｂに分割する切断線が設けられ、中央部４０ａと脇部４０ｂの形状の違いにより、蓋部４２は、キャップ本体１６からの開き角度が９０°以上の所定の角度で係止され、強い力で押さないと閉じない構造となっている。ヒンジ４０は、プッシュレバー２８と注出口３６を結んだ線上にはなく、脇方向に位置する。このため、プッシュレバー２８を指で押して内容液５４を注出する時に邪魔にならない。
【００２６】
蓋部４２は、キャップ本体１６の側面部２０の端部に連続して取り付けられる筒状の側面部４４と、側面部４４の上端部を閉鎖する蓋板部４６が設けられている。側面部４４の周縁部には、ヒンジ４０と反対側のほぼ半周にわたって係止突部４８が設けられ、係止突部４８は内周面に突出し、蓋部４２をキャップ本体１６に閉じた時にキャップ本体１６の係止突部２３に係合するものである。側面部４４の周縁部には、ヒンジ４０と反対側の位置に、外周面に湾曲して突出する押上突部５０が設けられている。蓋板部４６の内側面には、蓋部４２をキャップ本体１６に被せた時、キャップ本体１６の注出口３６に水密に嵌合される円柱状のシール部５２が設けられている。
【００２７】
次に、この実施形態のスクイズキャップ１０の使用方法について述べる。液体用容器１２に内容液５４を所定量入れ、液体用容器１２の口部１４にスクイズキャップ１０のキャップ本体１６を取り付け、口部１４の雄ねじ２２にキャップ本体１６の雌ネジ２４を螺合させ、口部１４の内周面にキャップ本体１６の内筒部３９を嵌合し、液密に取り付ける。そして、蓋部４２をキャップ本体１６に閉じて、蓋部４２のシール部５２をキャップ本体１６の注出口３６に嵌合させ、内容液５４が出ないように閉鎖する。この状態で、保管や運搬を行う。
【００２８】
スクイズキャップ１０から内容液５４を取り出すときは、蓋部４２の押上突部５０を押し上げて、蓋部４２を、ヒンジ４０を中心に回転させるように開く。蓋部４２の押上突部５０を押し上げる時、キャップ本体１６の側面部２０に凹部４１が設けられているため、押上突部５０の突出量が多くなり、指がかかりやすく開けやすいものとなる。開かれた蓋部４２は、ヒンジ４０により９０度以上の所定の角度で開いた状態に維持される。液体用容器１２を図５に示すように倒立させ、注出口３６が内容液を落下させる目的の場所に向くように斜めに傾け、注出口３６の内側に内容液５４を満たす。
【００２９】
次に、プッシュレバー２８を指で押す。すると、プッシュレバー２８は端部２８ａと屈曲部２６の境界部分が屈曲して、天面部１８と平行になるように倒れ、一体に設けられている屈曲部２６が立上部３４等に押されて弾性変形してキャップ本体１６の内側に向かってくぼむ。このときプッシュレバー２８が梃子となり、弱い力でも簡単に屈曲部２６を天面部１８に沈ませて液体用容器１２の内側に押し込むことができる。屈曲部２６を液体用容器１２の内側に押し込むことにより、液体用容器１２内の圧力が高くなり、注出口３６から内容液５４が注出され、目的の場所へ滴下される。注出された内容液５４の体積は、プッシュレバー２８によってくぼんだ屈曲部２６の体積とほぼ等しいものであり、プッシュレバー２８は、押すとプッシュレバー２８の突起３２がキャップ本体１６の天面部１８に当接し、それ以上押し込むことが規制されるため、一回押すごとの内容液５４の体積はほぼ一定となる。
【００３０】
押した後は、プッシュレバー２８から指を離すと、プッシュレバー２８と屈曲部２６は弾力性により元の形状にもどる。この時注出口３６から液体用容器１２内に空気が入り、液体用容器１２内は通常の気圧となる。取り出す内容液５４が必要な量に達するまでこれを繰り返し、使用が終わった時は、液体用容器１２の向きを正立させ、蓋部４２をキャップ本体１６に閉じる。
【００３１】
この実施形態のスクイズキャップ１０によれば、液体用容器１２に取り付けるキャップ本体１６の屈曲部２６を簡単な操作で弱い力により確実に押して、内容液５４を、簡単に一定量を取り出すことができる。ポリプロピレン等の適度な硬さを有する合成樹脂で作られていても、屈曲部２６を押すときにプッシュレバー２８を梃子として押し下げて屈曲部２６を液体用容器１２の内側に押し込むことができ、梃子の原理で弱い力でも簡単に内容液５４を注出することができる。弱い力で操作するために柔らかい合成樹脂を使用する必要がなく、耐久性と加工性に優れたポリプロピレンで作ることができる。小形の液体用容器１２に取り付けるもので屈曲部２６が小さくても、プッシュレバー２８が長いため操作しやすく、力を入れやすいものとなる。プッシュレバー２８は、キャップ本体１６の天面部１８に対して斜め上方に延出しているため、押し易く、押し下げた時に天面部１８に対してほぼ平行になるが、その位置まで力を続けて入れることができ、また指が下方に滑ることを防ぐ。プッシュレバー２８は、注出口３６と反対方向に延出しプッシュレバー２８を押す端部２８ｂは注出口３６から離れているため、指を注出口３６に近づけることがなく、押し易く、また指先に注出された内容液５４が付着することがなく衛生的である。
【００３２】
また、プッシュレバー２８の突起３２がキャップ本体１６の天面部１８に当接し、それ以上押し込むことが規制されるため、一回押すごとに注出される内容液５４の体積はほぼ一定となり、定量注出が可能で正確に取出量を決めることができる。しかも、プッシュレバー２８を天面部１８に当接するまで押し込まずに適宜押し込むことにより、少ない所望の量を注出することもできる。
【００３３】
注出口３６は、屈曲部２６と離間して設けられているため、屈曲部２６を弾性変形させても影響がなく、内容液５４の落下する位置がずれたりすることがなく、また内容液５４が指に付着する恐れもなく使用しやすいものとなる。プッシュレバー２８に指を掛けて押している操作の途中でも注出口３６から注出される内容液５４の様子を確認することができる。
【００３４】
蓋部４２は、ヒンジ４０により、９０°以上の開き角度で係止され、係止される方向は突起３２と注出口３６を結んだ線上になく、脇方向に位置するため、突起３２を指で押して内容液５４を注出する時に邪魔にならず、注出操作が容易となる。蓋部４２は、簡単に開閉することができ、便利である。
【００３５】
また、注出口３６にはフランジ部３８が設けられ、フランジ部３８は、プッシュレバー２８と反対側部分が特に長く突出して設けられているため、内容液５４がキャップ本体１６に垂れることを防ぐ。プッシュレバー２８の上面には凹部３０が設けられているため指で押し易いものとなる。
【００３６】
なお、この発明のスクイズキャップは上記実施形態に限定されるものではなく、ヒンジや係止突部、プッシュレバー、屈曲部等の形状は、適宜設定可能であり、操作しやすいものであればよい。プッシュレバーに設けられた突起がキャップ本体の天面部に当接して押し込みストロークを規制するもの以外でもよく、当接部と被当接部が平面と突面、突面と突面、突面と凹面、凹面と突面など、プッシュレバーと天面部が当接して規制できる形状であれば自由に変更することができる。
【符号の説明】
【００３７】
１０  スクイズキャップ
１２  液体用容器
１４  口部
１６  キャップ本体
１８  天面部
２０  側面部
２６  屈曲部
２６ａ  上面
２６ｂ  第１側面
２６ｃ  第２側面
２８  プッシュレバー
３２  突起（当接部）
３４  立上部
３６  注出口
４０  ヒンジ
４２  蓋部
５２  シール部
【図１】
2015151186.tif 000003
【図２】
2015151186.tif 000004
【図３】
2015151186.tif 000005
【図４】
2015151186.tif 000006
【図５】
2015151186.tif 000007